(57)【要約】【課題】  使用者が手を掛ける手すり部が、他の部分や設置される箇所の周囲の色彩とは異なった色彩となっている。【解決手段】  使用者が手を掛ける手すり部である上側横手すり部１３０が、他の部分である２本の下面側垂直支柱部１１０Ａ、１１０Ｂや、段差部の上面側である上がり框ＡＫの上面ＡＫ１に対して垂直に支持される１本の上面側垂直支柱部１２０の色彩とは異なった色彩となっているので、弱視者や色覚異常者により視認しやすく、弱視者等にとってより安全性の高い手すりとなっている。【選択図】      図１
2014062430.tif 000002
【特許請求の範囲】
【請求項１】
使用者が手を掛ける手すり部が、他の部分や設置される箇所の周囲の色彩とは異なった色彩であることを特徴とする弱視者用手すり。
【請求項２】
設置面に設置される支柱部と、この支柱部によって支持される手すり部とを具備しており、前記手すり部は他の部分や設置される箇所の周囲の色彩とは異なった色彩であることを特徴とする弱視者用手すり。
【請求項３】
前記手すり部の色彩は、使用者にとって認識しやすい色彩を選択可能になっていることを特徴とする請求項１又は２記載の弱視者用手すり。
【発明の詳細な説明】
【技術分野】
【０００１】
本発明は、例えば、弱視者や色覚異常者にとって視認しやすい手すりに関する。
【背景技術】
【０００２】
弱視者や色覚異常者にとって、例えば階段の上がり框等の段差部を昇降する際に身体を支えることができる手すりがあると安全である。このため、種々の弱視者用手すりが提案されている。
【０００３】
例えば、特許第４６８４１７６号公報（特許文献１）では、『木表と木裏のある複数の板材を積層した集成材から形成された棒状の手摺り本体と、前記手摺り本体の長手方向に沿って木表側から手摺り本体の中心に向かって開口された溝部と、前記溝部の開口部に嵌め込まれた透光性部材とを備え、前記溝部の内壁には内方に張り出したアゴ部が設けられ、このアゴ部の上に透光性を有する仕切板が載置される共に、前記仕切板より表面側の溝部内において、前記透光性部材と溝部の内壁との間に充填剤を有することを特徴とする手摺り。』が提案されている。
【０００４】
【特許文献１】特許第４６８４１７６号公報
【発明の開示】
【発明が解決しようとする課題】
【０００５】
しかしながら、特許文献１に記載されたものでは、棒状の手摺り本体に溝部を形成し、その溝部に透光性部材を嵌め込み、溝部内にＬＥＤ等の発光部材を設置するようになっている。
すなわち、特許文献１に記載されたものでは、光源を必要とするため、高価なものとなり、電気配線等の取りまわしが必要となる。このため、特許文献１に記載されたものでは、また一見しただけで弱視者等のためのものであることが判明するので、弱視等であることを他人に気づかれたくない弱視者の気持ちへの配慮が足りないものとなっている。
【０００６】
本発明は、上記事情に鑑みて創案されたもので、コスト的に従来のものとほぼ同等で、電気配線等が不用で一見しても弱視者等のためのものとは気づかれにくい弱視者用手すりを提供することを目的としている。
【課題を解決するための手段】
【０００７】
本発明に係る弱視者用手すりは、使用者が手を掛ける手すり部が、他の部分や設置される箇所の周囲の色彩とは異なった色彩となっている。
【発明の効果】
【０００８】
本発明に係る弱視者用手すりは、使用者が手を掛ける手すり部が、他の部分や設置される箇所の周囲の色彩とは異なった色彩となっているので、弱視者や色覚異常者により視認しやすく、弱視者等にとってより安全性の高い手すりとなっている。
また、単に色彩を変更するだけであり、ＬＥＤ等の他の部品を使用しないので、それらの電気配線も不用になり、コストを抑えることができる。
しかも、鮮やかな色彩を採用することで、事情を知らない他人にとってはデザインの一部として認識されるので、弱視者用と気づかれることがない。
【図面の簡単な説明】
【０００９】
【図１】本発明の実施の形態に係る弱視者用手すりの図面であって、同図（Ａ）は段差部である玄関の上がり框に設置された弱視者用手すりの概略的側面図、同図（Ｂ）は概略的背面図、同図（Ｃ）は概略的平面図である。
【図２】本発明の実施の形態に係る弱視者用手すりのスライド式横手すり部が最も上側に位置した状態の概略的側面図である。
【図３】本発明の実施の形態に係る弱視者用手すりのスライド式横手すり部が最も下側に位置した状態の概略的側面図である。
【図４】本発明の他の実施の形態に係る弱視者用手すりの図面であって、同図（Ａ）は段差部である玄関の上がり框に設置された弱視者用手すりの概略的側面図、同図（Ｂ）は概略的背面図、同図（Ｃ）は概略的平面図である。
【発明を実施するための形態】
【００１０】
本発明の実施の形態に係る弱視者用手すり１００は、玄関等の上がり框ＡＫに設置されるものであって、段差部の下面側である土間部ＤＭ（設置面）に対して垂直に支持される２本の下面側垂直支柱部１１０Ａ、１１０Ｂと、段差部の上面側である上がり框ＡＫの上面ＡＫ１（設置面）に対して垂直に支持される１本の上面側垂直支柱部１２０と、前記下面側垂直支柱部１１０Ａ、１１０Ｂのうちの１本の第１の下面側垂直支柱部１１０Ａと前記上面側支柱部１２０との上端を連結する上側横手すり部１３０と、この上側横手すり部１３０より下方に位置し、前記第１の下面側垂直支柱部１１０Ａと前記上面側支柱部１２０との間に掛け渡され、両垂直支柱部１１０Ａ、１２０に沿って上下方向にスライド可能になったスライド式横手すり部１４０とを備えている。
【００１１】
前記下面側垂直支柱部１１０Ａ、１１０Ｂは、段差部の下面側である土間部ＤＭにセットされる平板状のベース板１５０に立設された支柱用固定管１５１に挿入した状態で固定される。
【００１２】
前記ベース板１５０は、平面視長方形状のスチール板であって、対向した短辺側の中央に持ち運び等に手を入れることができる長方形状の開口部１５２が開設されている。このベース板１５０の一方の長辺側の縁部は、折曲部１５３として上方向に向かって折曲形成されている。この折曲部１５３は、上がり框ＡＫの垂直面ＡＫ２に当接することでベース板１５０の位置決めを行うものである。
【００１３】
また、このベース板１５０の四隅には前記支柱用固定管１５１を固定するための管固定用ビス孔１５４が形成されている。
さらに、このベース板１５０には、ベース板１５０自身を土間部ＤＭに取付固定するための取付用ビス孔１５５が複数個形成されている。
【００１４】
前記支柱用固定管１５１は、後述する下面側垂直支柱部１１０Ａ、１１０Ｂが挿入される一端が閉じられた円筒形状の筒体である。この支柱用固定管１５１の側面には、挿入された下面側垂直支柱部１１０Ａ、１１０Ｂを固定する固定用ねじのための雌ねじ（図示省略）が適宜個形成されている。また、閉じられた一端側には、前記管固定用ビス孔１５４と対応したビス用孔（図示省略）が開設されており、このビス用孔を介して、ビスをベース板１５０の裏面側から管固定用ビス孔１５４に螺合させることで、支柱用固定管１５１をベース板１５０に固定する。
なお、前記支柱用固定管１５１は、２つがベース板１５０の短辺側に沿うようにして隅部に立設した状態で固定される。
【００１５】
２つの支柱用固定管１５１に挿入して固定される２本の下面側垂直支柱部１１０Ａ、１１０Ｂは、前記折曲部１５３から離れた側に位置する第１の下面側垂直支柱部１１０Ａと、折曲部１５３に近い側に位置する第２の下面側垂直支柱部１１０Ｂとである。
第１の下面側垂直支柱部１１０Ａの方が、第２の下面側垂直支柱部１１０Ｂより長く設定されている。
【００１６】
一方、上面側垂直支柱部１２０は、２本の管体を連結したものであり、長さを自在に調節することができるようになっている。かかる上面側垂直支柱部１２０の下端部にはゴムクッション１２１が装着されている。このゴムクッション１２１は、上がり框ＡＫの上面ＡＫ１を保護するためのものである。
なお、上面側垂直支柱部１２０が長さを自在に変更することができるようになっているのは、上がり框ＡＫの高さに応じて変更することができるようにするためである。
【００１７】
この上面側垂直支柱部１２０と、前記第１の下面側垂直支柱部１１０Ａとの間には下側横手すり部１６０が掛け渡されている。しかも、この下側横手すり部１６０は、第２の下面側垂直支柱部１１０Ｂの上端にも連結されている。なお、この下側横手すり部１６０は、横向きのＴ字型アングル１６１を介して前記上面側垂直支柱部１２０、前記第１の下面側垂直支柱部１１０Ａに、縦向きのＴ字型アングル１６２を介して前記第２の下面側垂直支柱部１１０Ｂにそれぞれ連結されている。
【００１８】
前記上側横手すり部１３０は、使用者が手を掛ける手すり部分であって、第１の下面側垂直支柱部１１０Ａの上端と、上面側垂直支柱部１２０の上端とを連結するものである。かかる上側横手すり部１３０は、両端が下向きなっており、それぞれ第１の下面側垂直支柱部１１０Ａの上端、上面側垂直支柱部１２０の上端と連結される。
また、この上側横手すり部１３０は、第１の下面側垂支柱部１１０Ａ寄りの部分が上側傾斜部１３１となり、この上側傾斜部１３１から上面側垂直支柱部１２０寄りの部分が上側水平部１３２となっている。
【００１９】
かかる上側横手すり部１３０は、連結アングル１３５によって、第１の下面側垂直支柱部１１０Ａ、上面側垂直支柱部１２０のそれぞれ上端と連結される。なお、この状態で上側横手すり部１３０の上側水平部１３２は、土間部ＤＭや上がり框ＡＫの上面ＡＫ１に対して水平になっている。
【００２０】
この上側横手すり部１３０は、第１の下面側垂直支柱部１１０Ａ、第２の下面側垂直支柱部１１０Ｂ、上面側垂直支柱部１２０と別体になっているので、連結アングル１３５から取り外して交換することができる。従って、この上側横手すり部１３０を他の部分、すなわち第１の下面側垂直支柱部１１０Ａ、第２の下面側垂直支柱部１１０Ｂ、上面側垂直支柱１２０、スライド式横手すり部１４０や下側横手すり部１６０と異なる色彩とすれば、この上側横手すり部１３０は、最も上側の手すりなので、弱視者や色覚異常者にとってより視認しやすいものとなる。
この際、他の部分のみならず、この弱視者用手すり１００が設置される箇所の周囲の色彩とも異なるものにすることによってより視認しやすいものとなる。
【００２１】
一般的な手すりは木質材料的な茶色、黄土色で彩色されることが多いが、それとはまったく異なる色彩、例えば赤色、それも彩度の高い赤色で彩色することで視認しやすくなる。ただし、家庭内で使用する場合には、その使用者である弱視者や色覚異常者にとって、赤色が視認しやすい色彩でないこともあるので、その場合には、他の色彩のものを使用することはいうまでもない。
従って、この上側横手すり部１３０にはオプションとして各種の色彩のものが準備されており、個々の使用者にとって認識しやすい色彩を選択可能になっていることが望ましい。
【００２２】
前記スライド式手横手すり部１４０は、手すり本体部１４１と、この手すり本体部１４１の両端に設けられるスライド用アングル１４２とを有している。
前記手すり本体部１４１は、前記上側横手すり部１３０と同様に、第１の下面側垂支柱部１１０Ａ寄りの部分がスライド側傾斜部１４１Ａとなり、このスライド側傾斜部１４１Ａから上面側垂直支柱部１２０寄りの部分がスライド側水平部１４１Ｂとなっている。従って、前記スライド側傾斜部１４１Ａは上側傾斜部１３１と、また、スライド側水平部１４１Ｂは上側水平部１３２とそれぞれ平行になっている。
【００２３】
前記前記スライド用アングル１４２は、第１の下面側垂直支柱部１１０Ａと上面側垂直支柱部１２０とが挿入される円柱状の支柱挿入部１４２Ａと、この支柱挿入部１４２Ａから横方向に突出する手すり連結部１４２Ｂとが一体に形成されたものである。
このスライド用アングル１４２の支柱挿入部１４２Ａの側面には、挿入された支柱部１１０Ａ、１２０を固定する固定用ねじのための雌ねじ（図示省略）が適宜個形成されている。
このため、スライド式横手すり部１４０は、この固定用ねじを使ってスライド範囲内の任意の位置で固定することができる。なお、スライド可能範囲は、第１の下面側垂直支柱部１１０Ａの上端と下側横手すり部１６０との間の範囲になる。
なお、図２はスライド式横手すり部１４０が最も上側に位置した状態を、図３はスライド式横手すり部１４０が最も下側に位置した状態をそれぞれ示している。
【００２４】
また、このスライド用アングル１４２の手すり連結部１４２Ｂは、図１（Ｂ）等に示すように、横方向に突出しているので、スライド用アングル１４２に連結された手すり本体部１４１は、前記上側横手すり部１３０や下側横手すり部１６０より横側に張り出すことになる。
なお、このスライド式横手すり部１４０の横側への張り出しは、ベース板１５０の内側に向かって張り出すようにする。すなわち、この弱視者用手すり１００を使用する者が、土間部ＤＭから上がり框ＡＫに上がる場合はベース板１５０の上に立った状態で、上がり框ＡＫから土間部ＤＭに降りる場合にはベース板１５０の上に降り立つ状態で使用するようになっている。
【００２５】
このように構成された弱視者用手すり１００であると、上側横手すり部１３０の高さを変更することなく、スライド式横手すり部１４０の高さのみを変更することができるようになる。
【００２６】
なお、このスライド式横手すり部１４０も他の部分と異なる色彩とすることによって、弱視者等にとって視認性を高めることができる。
【００２７】
上述した弱視者用手すり１００では、第２の下面側垂直支柱部１１０Ｂが下側横手すり部１６０までしかなかったが、図４に示すように、第２の下面側垂直支柱部１１０Ｂが下側横手すり部１６０を超えて、上側横手すり部１３０まで延長させることも可能である。
このように第２の下面側垂直支柱部１１０Ｂが延長されたとしても、スライド式横手すり部１４０は横方向に突出しているため、スライド式横手すり部１４０の上下方向のスライドが阻害されることはない。
第２の下面側垂直支柱部１１０Ｂが上側横手すり部１３０まで延長されることで、より弱視者用手すり１００全体の強度を向上させることができる。
【００２８】
なお、上述した２つの実施の形態に係る弱視者用手すり１００は、第１の下面側垂直支柱部１１０Ａ、第２の下面側垂直支柱部１１０Ｂ及び上面側垂直支柱部１２０を変更することで、全体の高さを変更することができる。
【００２９】
また、第１の下面側垂直支柱部１１０Ａ、第２の下面側垂直支柱部１１０Ｂ、上面側垂直支柱部１２０と、上側横手すり部１３０とを一体化した部材を使用することも可能である。ただし，スライド式横手すり部１４０は上下方向のスライドを確保するために、これらと一体にすることはできない。
【００３０】
さらに、上述した弱視者用手すり１００を構成する各部品は、スチール素材或いは合成樹脂素材等の適宜な素材で構成されるが、ベース板１５０は安定性確保のためにスチール素材を使用することが好ましい。
【００３１】
なお、上述した説明では段差部として玄関等の上がり框ＡＫを例として挙げたが、本発明に係る弱視者用手すり１００の設置場所はこれに限定されるものではなく、他の段差部であってもよいことはいうまでもない。
【００３２】
また、弱視者用手すり１００の例として、段差部に使用されるものを挙げたが、本発明はこの形状に限定されるものではない。本発明に係る弱視者用手すりは、段差部のない部分における手すりや、トイレ内、浴室内の手すりにも適用可能なことはいうまでもない。
【符号の説明】
【００３３】
１００    弱視者用手すり
１１０Ａ  第１の下面側垂直支柱部
１１０Ｂ  第２の下面側垂直支柱部
１２０    上面側垂直支柱
１３０    上側横手すり部
１４０    スライド式横手すり部
【図１】
2014062430.tif 000003
【図２】
2014062430.tif 000004
【図３】
2014062430.tif 000005
【図４】
2014062430.tif 000006